(57)【特許請求の範囲】
【請求項１】
静磁場中に載置された被検体に対し、所定のパルスシーケンスに従って高周波磁場及び傾斜磁場を印加して、前記被検体から発生する磁気共鳴信号を受信コイルにより受信して、当該受信信号に基づいて前記被検体の磁気共鳴画像を生成するＭＲＩ装置において、
前記静磁場を発生する静磁場発生手段と前記傾斜磁場を発生する傾斜磁場発生手段を備える架台と、
コンソールから入力された前記被検体の検査情報を記憶する第１の記憶手段と、
前記受信コイルの種類を認識する認識手段と、
受信コイルの種類毎に前記被検体への装着方法を記憶する第２の記憶手段と、
前記架台に設けられ、前記認識手段による認識結果に基づいて、前記第２の記憶手段に記憶されている前記受信コイルの前記被検体への装着方法を表示する表示手段と、
を具備し、
前記表示手段は、前記認識手段が認識した受信コイルの種類が、前記第１の記憶手段に記憶された被検体の検査情報に適していない場合、前記受信コイルが不適切であることを表示することを特徴とするＭＲＩ装置。
【請求項２】
静磁場中に載置された被検体に対し、所定のパルスシーケンスに従って高周波磁場及び傾斜磁場を印加して、前記被検体から発生する磁気共鳴信号を受信コイルにより受信して、当該受信信号に基づいて前記被検体の磁気共鳴画像を生成するＭＲＩ装置において、
前記静磁場を発生する静磁場発生手段と前記傾斜磁場を発生する傾斜磁場発生手段を備える架台と、
コンソールから入力された前記被検体の検査部位を記憶する記憶手段と、
前記受信コイルの配線を接続するための接続手段と、
前記接続手段に前記受信コイルが接続されたときに、前記受信コイルが前記検査部位用の受信コイルか否かを判断することにより、前記受信コイルの種類を認識する認識手段と、
前記認識手段により、前記接続手段に接続された前記受信コイルが前記検査部位用の受信コイルではないと判断された場合、前記受信コイルが不適切であることを表示する表示手段と、
を具備することを特徴とするＭＲＩ装置。
【請求項３】
前記接続手段は、前記架台に設けられていることを特徴とする請求項２に記載のＭＲＩ装置。
【請求項４】
静磁場中に載置された被検体に対し、前記被検体の動きを検出手段により検出してその検出結果に同期して実行される所定のパルスシーケンスに従って高周波磁場及び傾斜磁場を印加して、前記被検体から発生する磁気共鳴信号を受信コイルにより受信して、当該受信信号に基づいて前記被検体の磁気共鳴画像を生成するＭＲＩ装置において、
前記静磁場を発生する静磁場発生手段と前記傾斜磁場を発生する傾斜磁場発生手段を備える架台と、
コンソールから入力された前記被検体の検査情報を記憶する第１の記憶手段と、
前記検出手段の種類を認識する認識手段と、
検出手段の前記被検体への装着方法を記憶する第２の記憶手段と、
前記架台に設けられ、前記第１の記憶手段に記憶されている被検体の検査情報に基づいて、前記第２の記憶手段に記憶されている前記検出手段の前記被検体への装着方法を表示する表示手段と、
を具備し、
前記表示手段は、前記認識手段が認識した検出手段の種類が、前記第１の記憶手段に記憶された被検体の検査情報に適していない場合、前記検出手段が不適切であることを表示することを特徴とするＭＲＩ装置。
【請求項５】
静磁場中に載置された被検体に対し、所定のパルスシーケンスに従って高周波磁場及び傾斜磁場を印加して、前記被検体から発生する磁気共鳴信号を受信コイルにより受信して、当該受信信号に基づいて前記被検体の磁気共鳴画像を生成するＭＲＩ装置において、
前記静磁場を発生する静磁場発生手段と前記傾斜磁場を発生する傾斜磁場発生手段を備える架台と、
コンソールから入力された前記被検体の検査情報を記憶する第１の記憶手段と、
前記装着された受信コイルの種類を認識する認識手段と、
前記検査情報に応じて、前記被検体に説明すべき注意点を記憶する第２の記憶手段と、
前記架台に設けられ、前記第１の記憶手段に記憶されている被検体の検査情報に基づいて、前記第２の記憶手段に記憶されている前記注意点を表示する表示手段と、
を具備し、
前記表示手段は、前記認識手段が認識した受信コイルの種類が、前記第１の記憶手段に記憶された被検体の検査情報に適していない場合、前記受信コイルが不適切であることを表示することを特徴とするＭＲＩ装置。
【請求項６】
コンソールから入力された被検体の検査情報を記憶する記憶手段と、
前記被検体の検査部位を断層撮影するために前記被検体に装着される検査手段と、
前記検査手段の種類を認識する認識手段と、
前記認識手段で認識された前記検査手段の種類が、前記記憶手段に記憶された前記検査情報に適していない場合、前記検査手段が不適切であることを表示する表示手段と、
を備えることを特徴とするＭＲＩ装置。
【発明の詳細な説明】
【技術分野】
【０００１】
本発明は、磁場共鳴現象を利用して人体の断層撮像を行うＭＲＩ装置に関する。
【背景技術】
【０００２】
磁場共鳴現象を利用して人体の断層撮影を行うＭＲＩ装置が知られている。このＭＲＩ装置は、単純撮影、ＣＴ、その他の放射線学的検査に比べ、コントラスト分解能が高い、任意に多方向の多断層像が得られる、骨・空気からのアーチファクトが発生しない、Ｘ線被曝が無いなど、多くの利点を有している。そのため、このＭＲＩ装置は、頭部、膝、脊椎、四肢、乳房などの様々な検査部位の断層撮像に使用されている。
【０００３】
ＭＲＩ装置を用いて断層撮影を行う場合、医者や医療技術者（以下、「医療関係者」と称する。）は、被検体を寝台に寝かせ、被検体の検査部位に受信コイルを装着する。そして、被検体に対して撮影時の注意点を説明する。次に、寝台を移動させて、被検体の検査部位を装置本体の所定位置に設定する。そして、装置本体から検査部位に磁場を照射し、検査部位から発生する磁気共鳴信号を受信することで、検査部位の断層画像を形成する。
【０００４】
ところで、受信コイルには、検査部位に応じて多数の種類があり、良好な断層撮像を行うためには、検査部位に適した受信コイルを使用する必要がある。さらに、受信コイルには、それぞれ決まった装着方法があり、良好な断層撮影を行うためには、受信コイルに応じた装着方法で装着する必要がある。また、撮影時の注意点は、検査部位によって異なっており、良好な断層撮影を行うためには、検査部位に応じた正しい注意点を被検体に説明しておく必要がある。
【０００５】
このように、ＭＲＩ装置の使用方法は、他の医療装置に比べて極めて複雑である。そのため、ＭＲＩ装置の取扱いに慣れていない医療関係者にとって、迅速かつ正確にこれらの作業を行うことは困難であった。
【０００６】
そこで、従来はコントロールルーム内にマニュアルを置いておき、このマニュアルを見ながら受信コイルの装着や被検体への説明などを行っていた。しかしながら、一々コントロールルームに行き、マニュアルを見てから受信コイルを装着したり、被検体に説明したりするのでは、作業効率が極めて悪く、医療関係者にとって大きな負担となっていた。
【０００７】
そこで近年、医療関係者のために取扱い方法などの情報を表示するモニター付きの医療機器が開示された（例えば、特許文献１を参照。）。
【特許文献１】特開２００２−１６８２５号公報
【発明の開示】
【発明が解決しようとする課題】
【０００８】
しかしながら、特許文献１に記載された医療装置のモニターは、取扱い訓練を目的としたものであり、この医療装置を使用したとしても、医療関係者自身が取扱い方法を学習し、習得する必要があることに変わりはなかった。そのため、医療関係者にとってＭＲＩ装置を使用することは、依然として負担となっていた。
【０００９】
本発明は、前記事情を鑑みてなされたものであって、その目的とするところは、医療関係者の作業負担を軽減できるＭＲＩ装置を提供することにある。
【課題を解決するための手段】
【００１０】
前記課題を解決し目的を達成するために、本発明のＭＲＩ装置は次のように構成されている。
【００１１】
（１）静磁場中に載置された被検体に対し、所定のパルスシーケンスに従って高周波磁場及び傾斜磁場を印加して、前記被検体から発生する磁気共鳴信号を受信コイルにより受信して、当該受信信号に基づいて前記被検体の磁気共鳴画像を生成するＭＲＩ装置において、前記静磁場を発生する静磁場発生手段と前記傾斜磁場を発生する傾斜磁場発生手段を備える架台と、コンソールから入力された前記被検体の検査情報を記憶する第１の記憶手段と、前記受信コイルの種類を認識する認識手段と、受信コイルの種類毎に前記被検体への装着方法を記憶する第２の記憶手段と、前記架台に設けられ、前記認識手段による認識結果に基づいて、前記第２の記憶手段に記憶されている前記受信コイルの前記被検体への装着方法を表示する表示手段と、を具備し、前記表示手段は、前記認識手段が認識した受信コイルの種類が、前記第１の記憶手段に記憶された被検体の検査情報に適していない場合、前記受信コイルが不適切であることを表示することを特徴とする。
また、静磁場中に載置された被検体に対し、所定のパルスシーケンスに従って高周波磁場及び傾斜磁場を印加して、前記被検体から発生する磁気共鳴信号を受信コイルにより受信して、当該受信信号に基づいて前記被検体の磁気共鳴画像を生成するＭＲＩ装置において、前記静磁場を発生する静磁場発生手段と前記傾斜磁場を発生する傾斜磁場発生手段を備える架台と、コンソールから入力された前記被検体の検査部位を記憶する記憶手段と、前記受信コイルの配線を接続するための接続手段と、前記接続手段に前記受信コイルが接続されたときに、前記受信コイルが前記検査部位用の受信コイルか否かを判断することにより、前記受信コイルの種類を認識する認識手段と、前記認識手段により、前記接続手段に接続された前記受信コイルが前記検査部位用の受信コイルではないと判断された場合、前記受信コイルが不適切であることを表示する表示手段と、を具備することを特徴とする。
【００１２】
（２）静磁場中に載置された被検体に対し、前記被検体の動きを検出手段により検出してその検出結果に同期して実行される所定のパルスシーケンスに従って高周波磁場及び傾斜磁場を印加して、前記被検体から発生する磁気共鳴信号を受信コイルにより受信して、当該受信信号に基づいて前記被検体の磁気共鳴画像を生成するＭＲＩ装置において、前記静磁場を発生する静磁場発生手段と前記傾斜磁場を発生する傾斜磁場発生手段を備える架台と、コンソールから入力された前記被検体の検査情報を記憶する第１の記憶手段と、前記検出手段の種類を認識する認識手段と、検出手段の前記被検体への装着方法を記憶する第２の記憶手段と、前記架台に設けられ、前記第１の記憶手段に記憶されている被検体の検査情報に基づいて、前記第２の記憶手段に記憶されている前記検出手段の前記被検体への装着方法を表示する表示手段と、を具備し、前記表示手段は、前記認識手段が認識した検出手段の種類が、前記第１の記憶手段に記憶された被検体の検査情報に適していない場合、前記検出手段が不適切であることを表示することを特徴とする。
【００１４】
（３）静磁場中に載置された被検体に対し、所定のパルスシーケンスに従って高周波磁場及び傾斜磁場を印加して、前記被検体から発生する磁気共鳴信号を受信コイルにより受信して、当該受信信号に基づいて前記被検体の磁気共鳴画像を生成するＭＲＩ装置において、前記静磁場を発生する静磁場発生手段と前記傾斜磁場を発生する傾斜磁場発生手段を備える架台と、コンソールから入力された前記被検体の検査情報を記憶する第１の記憶手段と、前記装着された受信コイルの種類を認識する認識手段と、前記検査情報に応じて、前記被検体に説明すべき注意点を記憶する第２の記憶手段と、前記架台に設けられ、前記第１の記憶手段に記憶されている被検体の検査情報に基づいて、前記第２の記憶手段に記憶されている前記注意点を表示する表示手段と、を具備し、前記表示手段は、前記認識手段が認識した受信コイルの種類が、前記第１の記憶手段に記憶された被検体の検査情報に適していない場合、前記受信コイルが不適切であることを表示することを特徴とする。
【００１５】
（４）ＭＲＩ装置において、コンソールから入力された被検体の検査情報を記憶する第１の記憶手段と、前記被検体の検査部位を断層撮影するために前記被検体に装着される検査手段と、前記検査手段の種類を認識する認識手段と、前記認識手段で認識された前記検査手段の種類が、前記第１の記憶手段に記憶された前記検査情報に適していない場合、前記検査手段が不適切であることを表示する表示手段とを具備することを特徴とする。
【発明の効果】
【００１６】
本発明によれば、医療関係者の作業負担を軽減できる。
【発明を実施するための最良の形態】
【００１７】
以下、図面を参照しながら本発明を実施するための最良の形態を説明する。
【００１８】
先ず、図１と図２を用いて本発明の第１の実施の形態を説明する。
【００１９】
図１は本発明の第１の実施の形態に係るＭＲＩ装置の全体図、図２は同実施の形態に係るＭＲＩ装置の側面図である。
【００２０】
図１と図２に示すように、本実施の形態に係るＭＲＩ装置は、シールドルームＡに設置される架台１０と、コントロールルームＢに設置されるコンソール２０から構成される。
【００２１】
架台１０は円筒型の磁場発生装置１１を有している。この磁場発生装置１１は、その軸心線が略水平になるように設けられており、内部には静磁場を発生させる静磁場発生装置１８（静磁場発生手段）と、傾斜磁場を発生させる傾斜磁場発生装置１９（傾斜磁場発生手段）とを備えている。これにより、開口部１１ａ内に静磁場あるいは傾斜磁場を発生できるようになっている。以下、静磁場および傾斜磁場を磁場と称する。
【００２２】
磁場発生装置１１の開口部１１ａには、寝台１２が磁場発生装置１１の軸心線方向に沿って移動可能に設けられている。この寝台１２は、駆動装置（図示しない）を備えており、コンソール２０からの指示により、被検体Ｐの頭部Ｈを開口部１１ａ内に設定できるようになっている。
【００２３】
本実施の形態で検査部位となる被検体Ｐの頭部Ｈには、予め受信コイルＣが装着されている。この受信コイルＣは、被検体Ｐから発生する磁気共鳴信号を受信するものであり、受信コイルＣが受信した磁気共鳴信号は、頭部Ｈの断層画像（磁気共鳴画像）を形成する際に使用される。
【００２４】
なお、本実施の形態では、頭部Ｈを検査部位としているが、ＭＲＩ装置は、関節、足、腹部、肩などの様々な検査部位の断層撮影に使用できる。そのため、受信コイルＣには検査部位に対応した様々な種類があり、医療関係者は検査部位に適した受信コイルＣを選定して装着しなければならない。
【００２５】
架台１０の所定位置には、受信コイルＣの配線１７を接続するための接続パネル１４が設けられている。この接続パネル１４に受信コイルＣの配線１７が接続されると、コンソール２０内に設けられた制御装置２１の認識部２１ａ（認識手段）により、受信コイルＣの種類が自動認識されるようになっている。
【００２６】
そして、受信コイルＣが受信した磁気共鳴信号は、この接続パネル１４から制御装置２１の画像生成部２１ｂ（画像形成手段）に送信され、頭部Ｈの断層画像を生成するための各種処理が行われる。
【００２７】
制御装置２１には記憶装置２２が接続されている。この記憶装置２２には、第１の記憶部２２ａ（第１の記憶手段）と第２の記憶部２２ｂ（第２の記憶手段）を備え、第１の記憶部２２ａにはコンソール２０からの入力により、被検体Ｐの検査情報が記憶されており、第２の記憶部２２ｂには受信コイルＣの種類毎の被検体Ｐへの装着方法が予め記憶されている。なお、検査情報には、被検体Ｐの名前、年齢、体重、身長、検査部位、検査方法、および被検体Ｐに説明すべき撮影上の注意点等がある。
【００２８】
また、架台１０の所定位置には、表示モニター１６（表示手段）が設けられている。この表示モニター１６には、受信コイルＣの装着手順、受信コイルＣの配線１７の配置方法および被検体Ｐに説明すべき撮影上の注意点等が表示される。これにより、医療関係者は表示モニター１６を見ながら受信コイルＣを装着したり、配線１７を配置したり、被検体Ｐに注意点を説明したりすることができる。
【００２９】
次に、前記構成のＭＲＩ装置を使用する際の作用について説明する。
【００３０】
前記構成のＭＲＩ装置を使用する場合、予めコントロールルームＢ内のコンソール２０から被検体Ｐの検査情報を入力しておく。なお、この検査情報は、被検体ＰのＩＤカード等により一括入力してもよい。
【００３１】
被検体Ｐを寝台１２上に寝かせたら、まず受信コイルＣの配線１７を接続パネル１４に接続する。接続パネル１４に受信コイルＣの配線１７が接続されると、受信コイルＣの種類が認識部２１ａにより自動認識される。そして、この認識結果に基づき、接続パネル１４に接続された受信コイルＣが、予め入力された検査情報に適したものであるか判断され、その判断結果が表示モニター１６に表示される。
【００３２】
例えば、コンソール２０から入力された検査部位が頭部Ｈであるにも関わらず、接続パネル１４に頭部用以外の受信コイルＣが接続された場合、表示モニター１６には受信コイルＣが間違っているという表示がなされる。これによって、医療関係者は被検体Ｐの検査情報に適した受信コイルＣを間違えることなく使用することができる。
【００３３】
接続パネル１４に接続された受信コイルＣが被検体Ｐの検査情報に適したものであると判断されると、第２の記憶部２２ｂに記憶されている多種の装着手順の中から、接続パネル１４に接続された受信コイルＣの装着方法が選択されて表示モニター１６に表示される。例えば、頭部用の受信コイルＣが接続された場合には、頭部用の受信コイルＣの装着手順が表示される。
【００３４】
医療関係者は、表示モニター１６に表示される装着手順に従って頭部Ｈに受信コイルＣを装着する。表示モニター１６の表示方式としては、各装着工程が終了するたびに医療関係者が表示モニター１６に設けられたボタンを押し、次の装着工程の説明が表示させるようにしてもよいし、一定時間経過したら、自動的に次の装着工程の説明が表示されるようにしてもよい。
【００３５】
頭部Ｈに受信コイルＣを装着したら、医療関係者は表示モニター１６に設けられたボタンを押す。これにより、表示モニター１６には受信コイルＣの配線１７の配置方法が表示される。この配置方法は、予め入力された検査部位に応じたものであり、例えば頭部Ｈを検査する場合には、頭部Ｈに受信コイルＣを装着したときの配線１７の配置方法が表示される。
【００３６】
医療関係者は、この表示モニター１６の表示に従って受信コイルＣの配線１７を配置する。そして、受信コイルＣの配線１７を正しく配置したら、医療関係者は表示モニター１６に設けられたボタンを押す。これにより、表示モニター１６には、撮影前に被検体Ｐに説明すべき注意点が表示される。この注意点は、予め入力されている検査部位に応じたものであり、例えば頭部Ｈの検査を行う場合には、頭部Ｈの検査を受ける上で必要な注意点が表示される。
【００３７】
医療関係者は、表示モニター１６の表示に従って被検体Ｐに撮影上の注意点を説明する。そして、受信コイルＣの装着、受信コイルＣの配線１７の配置、および注意点の説明が終了したら、医療関係者は一旦コントロールルームＢに移動し、コンソール２０を操作して頭部Ｈの断層撮影を開始する。
【００３８】
頭部Ｈの断層撮影では、寝台１２を被検体Ｐの軸心線方向に移動させて、被検体Ｐの頭部Ｈを開口部１１ａ内に移動させる。そして、コンソール２０からの指示により開口部１１ａ内に所定強度の磁場を所定のパルスシーケンスに従って発生させて、この磁場を被検体Ｐの頭部Ｈに照射する。
【００３９】
被検体Ｐの頭部Ｈに磁場を照射すると、頭部Ｈからは磁気共鳴信号が発生する。この磁気共鳴信号は受信コイルＣにより受信され、接続パネル１４からコンソール２０の制御装置２１の画像生成部２１ｂに送信される。そして、この画像生成部２１ｂにて様々な処理がなされ、頭部Ｈの断層画像が形成される。この断層画像は、記憶装置（図示しない）に保存され、後の診断材料として使用される。
【００４０】
前記構成のＭＲＩ装置によれば、シールドルームＡ内の架台１０に表示モニター１６を設け、この表示モニター１６に受信コイルＣの装着手順を表示させている。そのため、医療関係者は表示モニター１６を見ながら受信コイルＣの装着作業を行える。
【００４１】
また、この表示モニター１６に受信コイルＣの配線１７の配置方法を表示させている。そのため、医療関係者は表示モニター１６を見ながら受信コイルＣの配線１７の配置作業を行える。
【００４２】
さらに、この表示モニター１６に被検体Ｐに説明すべき注意点を表示させている。そのため、医療関係者は表示モニター１６の表示を見ながら被検体Ｐに注意点を説明することができる。
【００４３】
すなわち、本実施の形態に係るＭＲＩ装置を使用すれば、従来のマニュアルを見ながらの作業に比べて、ＭＲＩ装置を使用する際の医療関係者の作業負担を軽減でき、しかも常に最適な受信コイルＣを使用して、最適な検査方法で断層撮影を行うことができる。
【００４４】
次に、図３を用いて本発明の第２の実施の形態を説明する。
【００４５】
図３は本発明の第２の実施の形態に係るＭＲＩ装置の側面図である。
【００４６】
図３に示すように、本実施の形態では、検査部位である心臓Ｓの動きを検出し、この動きと同期を取りながら心臓Ｓの断層撮影を行っている。
【００４７】
ところで、ＭＲＩ装置は様々な検査部位の断層撮影に使用される。そのため、検査部位の動きを検出するためのセンサー３１（検出手段）には、検査部位に対応した多くの種類があり、その装着方法も多岐にわたる。
【００４８】
そこで、本実施の形態では、第２の記憶部２２ｂに予めセンサー３１の種類毎の装着方法を記憶させている。そして、第１の記憶部２２ａに記憶された検査情報に基づいて、第２の記憶部２２ｂに記憶されているセンサー３１の装着手順の中から、検査情報に適したものを選び出して、表示モニター１６に表示させている。
【００４９】
このようにすれば、第１の実施の形態と同様に、医療関係者は表示モニター１６を見ながらセンサー３１の装着作業を行えるから、医療関係者の作業負担を軽減することができる。
【００５０】
次に図４を用いて本発明の第３の実施の形態を説明する。
【００５１】
図４は本発明の第３の実施の形態に係るＭＲＩ装置の側面図である。
【００５２】
図４に示すように、本実施の形態では、被検体Ｐに造影剤を注入しながら、検査部位である腕部Ｅの断層撮影を行っている。
【００５３】
ところで、ＭＲＩ装置は様々な検査部位の断層撮影に使用される。そのため、造影剤を注入する点滴チューブ４１の配置方法には、検査部位に対応した多くの種類がある。点滴チューブ４１を検査部位に適していない配置方法で配置すると、寝台１２の移動に伴って、点滴チューブ４１が被検体から外れてしまうこともある。
【００５４】
そこで、本実施の形態では、第２の記憶部２２ｂに予め検査部位に最適な点滴チューブ４１の配置方法を記憶させている。そして、第１の記憶部２２ａに記憶された検査情報に基づいて、第２の記憶部２２ｂに記憶されている点滴チューブ４１の配置方法の中から、検査情報に適したものを選び出して、表示モニター１６に表示させている。
【００５５】
このようにすれば、第１の実施の形態と同様に、医療関係者は表示モニター１６を見ながら点滴チューブ４１の配置作業を行えるから、医療関係者の作業負担を軽減することができる。
【００５６】
前記第１〜第３の実施の形態で説明したように、ＭＲＩ装置は様々な検査部位の断層撮影に使用される。そのため、受信コイルＣの種類、受信コイルＣの装着方法、受信コイルＣの配線１７の配置方法、センサー３１の装着方法、点滴チューブ４１の配置方法、被検体Ｐへの注意点には、多くの種類がある。したがって、被検体Ｐの近傍に表示モニター１６を配置し、この表示モニター１６に前記装着方法、配置方法、および注意点等を表示させることは、医療関係者の作業負担の軽減および迅速な断層撮影にとって極めて有効であるといえる。
【００５７】
なお、本発明は、前記実施形態そのままに限定されるものではなく、実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００５８】
【図１】本発明の第１の実施の形態に係るＭＲＩ装置の全体図。
【図２】同実施の形態に係るＭＲＩ装置の側面図。
【図３】本発明の第２の実施の形態に係るＭＲＩ装置の側面図。
【図４】本発明の第３の実施の形態に係るＭＲＩ装置の側面図。
【符号の説明】
【００５９】
１０…架台、１１ａ…開口部、１２…寝台、１４…接続パネル、１６…表示モニター（表示手段）、１８…静磁場発生装置（静磁場発生手段）、１９…傾斜磁場発生装置（静磁場発生手段）、２０…コンソール、２１ａ…認識部（認識手段）、２１ｂ…画像生成部（画像形成手段）、２２ａ…第１の記憶部（第１の記憶手段）、２２ｂ…第２の記憶部（第２の記憶手段）、４１…点滴チューブ、３１…センサー（検出手段）、Ａ…シールドルーム、Ｂ…コントロールルーム、Ｃ…受信コイル、Ｐ…被検体、Ｈ…頭部（検査部位）、Ｓ…心臓（検査部位）。
【図１】
0004718793.tif 000002
【図２】
0004718793.tif 000003
【図３】
0004718793.tif 000004
【図４】
0004718793.tif 000005